(57)【要約】      （修正有）【課題】一方側において演奏中に発話された内容を他方側へ伝えつつ、他方側における演奏音の聞きにくさを低減することができる演奏情報伝達方法、演奏情報伝達システムを提供する。【解決手段】ユーザ１０の演奏に応じて発音し、発音に応じた演奏データを生成する第１の楽器１１と、通信手段を介して演奏データを受信することによって音を発音する第２の楽器２２とを用いた演奏情報伝達方法であって、第１の楽器１１から発音される音と第１の楽器１１からの発音とは異なる音とが混合された音を取得し、取得した音に応じた混合音信号を生成する過程と、第１の楽器１１から発音される音に応じた参照信号を生成する過程と、混合音信号および参照信号に基づいて、混合音信号から第１の楽器１１から発音される音に応じた信号を除去して分離信号を得る過程と、分離信号に基づいて放音する過程と、を含む。【選択図】図１
2015132695.tif 000002
【特許請求の範囲】
【請求項１】
ユーザの演奏に応じて発音し、前記発音に応じた演奏データを生成する第１の楽器と、通信手段を介して前記演奏データを受信することによって音を発音する第２の楽器とを用いた演奏情報伝達方法であって、
前記第１の楽器から発音される音と前記第１の楽器からの発音とは異なる音とが混合された音を取得し、取得した音に応じた混合音信号を生成する過程と、
前記第１の楽器から発音される音に応じた参照信号を生成する過程と、
前記混合音信号および前記参照信号に基づいて、前記混合音信号から前記第１の楽器から発音される音に応じた信号を除去して分離信号を得る過程と、
前記分離信号に基づいて放音する過程と、
を含む演奏情報伝達方法。
【請求項２】
ユーザの演奏に応じて発音し、前記発音に応じた演奏データを生成する第１の楽器を有する第１のシステムと、前記演奏データに基づいて音を発音する第２の楽器とを有する第２のシステムを用いた演奏情報伝達方法であって、
前記第１のシステムは、
前記第１の楽器から発音される音と前記第１の楽器からの発音とは異なる音が混合された音を取得し、取得した音を混合音信号として生成する過程と、
前記第１の楽器から発音される音に応じた参照信号を生成する過程と、
前記混合音信号および前記参照信号に基づいて、前記混合音信号から前記第１の楽器から発音される音に応じた信号を除去して分離信号を得る過程と、
前記分離信号を前記第２のシステムに送信する過程と、
を備える演奏情報伝達方法。
【請求項３】
ユーザの演奏に応じて発音し、前記発音に応じた演奏データを生成する第１の楽器を有する第１のシステムと、前記演奏データに基づいて音を発音する第２の楽器とを有する第２のシステムとを用いた演奏情報伝達方法であって、
前記第２のシステムは、
前記第１の楽器から発音される音と前記第１の楽器からの発音とは異なる音とが混合された音が取得され、取得された音に応じた混合音信号から、前記第１の楽器によって発音される音に応じた信号が除去された分離信号を受信する過程と、
前記分離信号に基づいて放音する過程と、
を含む演奏情報伝達方法。
【請求項４】
ユーザの演奏に応じて発音し、前記発音に応じた演奏データを生成する第１の楽器と、通信手段を介して前記演奏データを受信することによって音を発音する第２の楽器とを用いた演奏情報伝達システムであって、
前記第１の楽器から発音される音と前記第１の楽器からの発音とは異なる音とが混合された音を取得し、取得した音に応じた混合音信号を生成する音声信号取得部と、
前記第１の楽器から発音される音に応じた参照信号を生成する音源部と、
前記混合音信号および前記参照信号に基づいて、前記混合音信号から前記第１の楽器から発音される音に応じた信号を除去して分離信号を得る信号処理部と、
前記分離信号に基づいて放音する放音部と、
を含む演奏情報伝達システム。
【発明の詳細な説明】
【技術分野】
【０００１】
本発明は、演奏情報伝達方法、演奏情報伝達システムに関する。
【背景技術】
【０００２】
自動演奏ピアノを用いて遠隔レッスンを行う方法が提案されている。この種の方法は、送信側の自動演奏ピアノに接続されたコントローラと、受信側の自動演奏ピアノに接続されたコントローラとがネットワークを介して接続される。そして、送信側の自動演奏ピアノにおいて指導者によって模範演奏が行われると、受信側の自動演奏ピアノにおいて、その模範演奏が再現される。具体的には、指導者の演奏に応じて演奏音を表すＭＩＤＩ形式の演奏データが生成されると、生成された演奏データは、送信側のコントローラから受信側のコントローラに送信される。受信側のコントローラは、その演奏データを自動演奏ピアノに出力する。自動演奏ピアノは、この演奏データに基づき、ハンマの打弦により音を発生させ、自動演奏を行う。また、指導者は自動演奏ピアノによって模範演奏を行いながら、必要に応じて音声による指導を行う。その指導者の音声は、送信側のコントローラに接続されたマイクによって収音され、上記ネットワークを介して受信側のコントローラに送信され、コントローラに接続されたスピーカから放音される。これにより、練習者は模範演奏を聞きながら、指導者の音声による指導を受けることができる。
【０００３】
ところで、送信側のマイクにおいては、指導者の音声収音に適したように、指向性、周波数特性及び感度などが調整されてはいるが、それでも、指導者の模範演奏中にはその自動演奏ピアノから放音される演奏音も収音してしまうことがある。このため、受信側においては、伝送されてきた演奏データに基づく演奏音と、送信側のマイクによって収音されて受信側に伝送されてきた演奏音との両方が再生される。自動演奏ピアノから出力された演奏データに基づく演奏音とマイクで収音された演奏音との再生タイミングがずれた場合に、受信側の練習者にとっては非常に聞きづらいという問題が発生する。この問題を解決するために、特許文献１には、指導者がピアノを演奏している場合、送信側のマイクによって収音された音の通信経路を遮断する方法が提案されている。
【先行技術文献】
【特許文献】
【０００４】
【特許文献１】特開２００８−１７２４０９号公報
【発明の概要】
【発明が解決しようとする課題】
【０００５】
しかしながら、上述の方法では、指導者が自動演奏ピアノを演奏している場合、マイクによって収音されたピアノの音が受信側に伝わらなくなるが、指導のために演奏中に発話された音声も受信側（練習者）に伝わらなくなる。よって、指導者は、演奏しながら、声かけによる指導ができない場合がある。
【０００６】
本発明は、このような事情に鑑みてなされたもので、その目的は、一方側において演奏中に発話された内容を他方側へ伝えつつ、他方側における演奏音の聞きにくさを低減することができる演奏情報伝達方法、演奏情報伝達システムを提供することである。
【課題を解決するための手段】
【０００７】
本発明の一態様は、ユーザの演奏に応じて発音し、前記発音に応じた演奏データを生成する第１の楽器と、通信手段を介して前記演奏データを受信することによって音を発音する第２の楽器とを用いた演奏情報伝達方法であって、前記第１の楽器から発音される音と前記第１の楽器からの発音とは異なる音とが混合された音を取得し、取得した音に応じた混合音信号を生成する過程と、前記第１の楽器から発音される音に応じた参照信号を生成する過程と、前記混合音信号および前記参照信号に基づいて、前記混合音信号から前記第１の楽器から発音される音に応じた信号を除去して分離信号を得る過程と、前記分離信号に基づいて放音する過程と、を含む演奏情報伝達方法である。
【０００８】
また、本発明の一態様は、ユーザの演奏に応じて発音し、前記発音に応じた演奏データを生成する第１の楽器を有する第１のシステムと、前記演奏データに基づいて音を発音する第２の楽器とを有する第２のシステムを用いた演奏情報伝達方法であって、前記第１のシステムは、前記第１の楽器から発音される音と前記第１の楽器からの発音とは異なる音が混合された音を取得し、取得した音を混合音信号として生成する過程と、前記第１の楽器から発音される音に応じた参照信号を生成する過程と、前記混合音信号および前記参照信号に基づいて、前記混合音信号から前記第１の楽器から発音される音に応じた信号を除去して分離信号を得る過程と、前記分離信号を前記第２のシステムに送信する過程と、を備える演奏情報伝達方法である。
【０００９】
また、本発明の一態様は、ユーザの演奏に応じて発音し、前記発音に応じた演奏データを生成する第１の楽器を有する第１のシステムと、前記演奏データに基づいて音を発音する第２の楽器とを有する第２のシステムとを用いた演奏情報伝達方法であって、前記第２のシステムは、前記第１の楽器から発音される音と前記第１の楽器からの発音とは異なる音とが混合された音が取得され、取得された音に応じた混合音信号から、前記第１の楽器によって発音される音に応じた信号が除去された分離信号を受信する過程と、前記分離信号に基づいて放音する過程と、を含む演奏情報伝達方法である。
【００１０】
また、本発明の一態様は、ユーザの演奏に応じて発音し、前記発音に応じた演奏データを生成する第１の楽器と、通信手段を介して前記演奏データを受信することによって音を発音する第２の楽器とを用いた演奏情報伝達システムであって、前記第１の楽器から発音される音と前記第１の楽器からの発音とは異なる音とが混合された音を取得し、取得した音に応じた混合音信号を生成する音声信号取得部と、前記第１の楽器から発音される音に応じた参照信号を生成する音源部と、前記混合音信号および前記参照信号に基づいて、前記混合音信号から前記第１の楽器から発音される音に応じた信号を除去して分離信号を得る信号処理部と、前記分離信号に基づいて放音する放音部と、を含む演奏情報伝達システムである。
【発明の効果】
【００１１】
以上説明したように、本発明によれば、一方側において演奏中に発話された内容を他方側へ伝えつつ、他方側における演奏音の聞きにくさを低減することができる。
【図面の簡単な説明】
【００１２】
【図１】実施形態における演奏情報伝達システムのブロック図である。
【図２】実施形態における動作例を説明するシーケンス図である。
【発明を実施するための形態】
【００１３】
以下、本実施形態における演奏情報伝達システムを、図面を参照して説明する。
（第１の実施形態）
図１は、本実施形態における演奏情報伝達システムのブロック図である。図１に示すように、この演奏情報伝達システムは、システム１（第１のシステム）とシステム２（第２のシステム）とを備えている。システム１とシステム２との間は、それぞれインターネットやＬＡＮ（Local Area Network）等のネットワーク３０によって接続されている。このネットワーク３０は、通信ケーブルなどの有線であってもよいし、無線であってもよいし、有線と無線との両方を組み合わせてもよい。
【００１４】
システム１は、ピアノ１１、コントローラ１２、音源部１３、マイクロフォン１４、信号処理部１５、送信部１６を備えている。システム１は、例えば演奏を指導する指導者１０によって利用される。システム２は、自動演奏ピアノ２２、コントローラ２１、放音部２３、受信部２４を備えている。このシステム２は、例えば、指導者１０の指導を受けながら演奏を練習する練習者２０によって利用される。
【００１５】
ピアノ１１（第１の楽器）は、指導者１０の演奏に応じて、その演奏音を表す演奏データを生成する。演奏データは、例えばＭＩＤＩ形式のデータである。ピアノ１１は、生成した演奏データをコントローラ１２と音源部１３に供給する。
【００１６】
コントローラ１２は、演奏データを送信する通信装置である。コントローラ１２は、ピアノ１１から供給された演奏データをネットワーク３０の通信プロトコルに適合したデータに変換する。また、コントローラ１２は、変換したデータをネットワーク３０経由でコントローラ２１へと送信する。
【００１７】
音源部１３は、例えば電子音源である。音源部１３は、ピアノ１１から取得した演奏データで指定される音高に応じたピアノ音色の楽音波形を参照信号として信号処理部１５に送信する。
【００１８】
マイクロフォン（音声信号取得部）１４は、音声を収音し、収音した音声を表す信号を信号処理部１５に出力する。マイクロフォン１４は、例えば、指導者１０の口の近傍で収音を行うことを前提にして、指向性、周波数特性及び感度が調整されている。しかしながら、指導者１０がピアノ１１を演奏しながら練習者２０に声かけによる指導を行っている場合、マイクロフォン１４は、指導者１０の口から放たれた音声（以下、「音声」という。）とピアノ１１に備わるハンマの打弦によって発生する演奏音（以下、「演奏音」という。）も収音してしまう。マイクロフォン１４は、この指導者１０の音声と、ピアノ１１の演奏音とが混合された音（以下、「混合音」という。）を収音する。よって、マイクロフォン１４は、音声と演奏音とが混合された混合音を混合音信号として信号処理部１５に出力する。
【００１９】
信号処理部１５は、音源部１３とマイクロフォン１４に接続されている。この信号処理部１５は、例えば送信部１６とともにパーソナルコンピュータ（ＰＣ）に実装されている。信号処理部１５は、音源部１３から参照信号を取得する。また、信号処理部１５は、マイクロフォン１４から混合音信号を取得する。信号処理部１５は、取得した参照信号と混合音信号とに基づいて、混合音信号を、音声を表す信号と演奏音を表す信号とに分離する。具体的には、信号処理部１５は、混合音信号および参照信号に基づいて、混合音信号からピアノ１１の演奏音に応じた信号を除去する。このような２つの音が混合した混合音を１つずつの音に分離する方法は、例えば、セミブラインド音源分離技術を用いることができる。セミブラインド音源分離技術では、混合音信号にて混合された１音のいずれか１つをリファレンス（参照信号）として、信号処理部１５に入力する。本実施形態では、演奏音を表す信号と音声を表す信号とを分離するのに、参照信号として電子音（音楽波形）を用いることができる。つまり、信号処理部１５は、電子音を用いることで、混合音の演奏音を表す信号をキャンセルし、指導者の音声を表す信号のみを抽出することができる。
信号処理部１５は、混合音信号を分離することで得られた音声を表す信号を分離信号として送信部１６に出力する。
【００２０】
送信部１６は、分離信号をデジタルの音データに変換し、変換した音データをネットワーク３０経由でシステム２の受信部２４に送信する。
なお、ピアノ１１を自動演奏ピアノとした場合には、ピアノ１１はコントローラ１２および音源部１３を備えているので、それを利用すればよい。また、ピアノ１１は、コントローラ１２および音源部１３だけでなく、マイクロフォン１４や信号処理部１５および送信部１６の全てまたは一部を一体に備えていてもよい。
【００２１】
コントローラ２１は、演奏データを受信する通信装置である。コントローラ２１は、ネットワーク３０経由で受信した演奏データを自動演奏ピアノ２２が解釈可能な形式に変換する。また、コントローラ２１は、変換した演奏データを自動演奏ピアノ２２に供給する。
【００２２】
自動演奏ピアノ２２（第２の楽器）は、自動演奏機能を有するピアノであり、コントローラ２１から送信された演奏データに基づいて自動演奏を行う。なお、この自動演奏は、自動演奏ピアノ２２が演奏データに基づいて鍵駆動用のソレノイドを制御し、打弦によりピアノ音を発生することにより行われるものであるが、その技術自体は公知であるので、詳細な説明は省略する。
【００２３】
受信部２４は、送信部１６から受信したデジタルの音データをアナログの音信号にＤ／Ａ変換して放音部２３に供給する。
放音部２３は、受信部２４から供給されたアナログの音信号に応じて放音する。放音部は、例えばスピーカである。
なお、自動演奏ピアノ２２は、コントローラ２１、放音部２３および受信部２４の全てまたは一部を一体に備えていてもよい。
【００２４】
次に、システム１が混合音信号から指導者１０の音声を表す信号を抽出し、抽出した音声を表す信号に基づいてシステム２で放音するまでの動作について図２を用いて説明する。図２は、本実施形態における動作例を説明するシーケンス図である。
【００２５】
指導者１０は、指導する対象の曲に応じてピアノ１１を弾くことで演奏しつつ、マイクロフォン１４を介して練習者２０に対して声かけによる指導を行う。
ステップＳ１０１において、ピアノ１１は、指導者１０の演奏に応じて演奏データを生成する。ピアノ１１は、生成した演奏データをコントローラ１２と音源部１３とに送信する。コントローラ１２は、演奏データをネットワーク３０を介してコントローラ２１に出力する。また、マイクロフォン１４は、指導者１０の音声とピアノ１１の演奏音との混合音を収音する。そして、マイクロフォン１４は、収音した混合音を混合音信号として信号処理部１５に供給する。
ステップＳ１０２において、音源部１３は、ピアノ１１から取得した演奏データに基づいて楽曲波形（指定される音高に応じたピアノ音色の音）を生成する。音源部１３は、楽曲波形に応じた参照信号を信号処理部１５に送信する。
【００２６】
ステップＳ１０３において、信号処理部１５は、音源部１３からピアノ１１の参照信号を取得する。また、信号処理部１５は、マイクロフォン１４から混合音信号を取得する。信号処理部１５は、混合音信号を指導者１０の音声を表す信号とピアノ１１の演奏音を表す信号とに分離する。つまり、信号処理部１５は、参照信号を用いて混合音信号に含まれるピアノ１１の演奏音をキャンセルする。これにより、信号処理部１５は、混合音信号から音声を表す信号のみを抽出する。信号処理部１５は、抽出した指導者の音声を表す信号を分離信号として送信部１６に出力する。
【００２７】
ステップＳ１０４において、送信部１６は、分離信号をデジタルの音データに変換し、その分離信号の音データをネットワーク３０経由でシステム２の受信部２４に送信する。
【００２８】
ステップＳ２０１において、コントローラ２１は、ネットワーク３０経由で受信した演奏データを受信する。コントローラ２１は、受信した演奏データを自動演奏ピアノ２２に供給する。
ステップＳ２０２において、自動演奏ピアノ２２は、演奏データを受信し、自動演奏を行うタイミング（ピアノ発音タイミング）を調整する。このタイミングの調整は、後述するステップＳ２０４の放音と同じタイミングになるように予めユーザが設定した値（例えば、ウエイト時間）を用いて行われる。
【００２９】
ステップＳ２０３において、受信部２４は、受信した分離信号の音データをアナログの音信号にＤ／Ａ変換して放音部２３に供給する。
【００３０】
ステップＳ２０４において、放音部２３は、受信部２４から供給されたアナログの音信号に応じて放音する。また、自動演奏ピアノ２２は、コントローラ２１から供給された演奏データに基づいて、調整されたピアノ発音タイミングで自動演奏を行う。
【００３１】
上述したように、本実施形態によると、自動演奏ピアノを用いて遠隔レッスンを行う演奏情報伝達方法において、システム１は、指導者１０がピアノ１１を演奏した際に生成される演奏データをネットワーク３０を介して自動演奏ピアノ２２に送信する。よって、自動演奏ピアノ２２は、受信した演奏データに基づいて打弦による自動演奏を行う。これにより、練習者２０は、指導者１０の演奏（鍵盤の弾き方やペダルの使い方などを含む）を自動演奏ピアノ２２で聴くことができる。
【００３２】
また、システム１は、演奏データから生成したピアノ音色の楽音波形を参照信号として、マイクロフォン１４で収音した指導者１０の音声と演奏音との混合音から指導者１０の音声のみを抽出する。システム１は、抽出した音声を分離信号としてシステム２に送信する。システム２は、受信した分離信号をスピーカなどの放音部２３で放音する。よって、放音部２３からは、演奏音を低減して指導者１０の音声が放音される。これにより、練習者２０は、指導者１０のピアノ１１の演奏を練習者の自動演奏ピアノ２２が打弦することにより聴くことができるとともに、演奏音が低減された状態での指導者１０の音声を放音部２３から聴くことができる。一方、指導者１０は、ピアノ１１を演奏しながら、練習者２０に対して声による指導を行うことができる。
【００３３】
このように、本実施形態の演奏情報伝達方法では、マイクロフォン１４に演奏音と指導者１０の音声が収音されたとしても、混合音に含まれる演奏音をキャンセルして指導者１０の音声を放音部２３から放音することができる。これにより、マイクロフォン１４で収音された演奏音とコントローラ１２を介して送信されたピアノ１１の演奏音との両方がシステム２において再生されないようにすることができる。
また、本実施形態によれば、指導者１０がピアノ１１を演奏している場合、マイクロフォン１４によって収音された音声の通信経路を遮断することなく、放音部２３から放音される音に対してピアノの演奏音が混入されることを防ぐことができる。
【００３４】
以上、この発明の実施形態について図面を参照して詳述してきたが、具体的な構成はこの実施形態に限られるものではなく、この発明の要旨を逸脱しない範囲の設計等も含まれる。
上述した実施形態において、自動演奏ピアノの遠隔レッスンを目的とした例を挙げて説明したが、本発明を適用する目的はこれに限定されない、例えば「指導」と「練習」という立場ではなく、同等の立場で演奏を行う２人の演奏者同士がこのシステムを利用してもよい。以下に第２の実施形態および第３の実施形態を示す。
【００３５】
（第２の実施形態）
第１の実施形態において、ピアノ１１が自動演奏ピアノ２２の機能をさらに備え、コントローラ１２がコントローラ２１の機能をさらに備え、コントローラ２１がコントローラ１２の機能をさらに備え、自動演奏ピアノ２２が、ピアノ１１の機能をさらに備えることとしてもよい。この場合、システム１は、マイクロフォン１４に収音される指導者１０の演奏音をキャンセルするだけでなく、システム２の自動演奏ピアノ２２からネットワーク３０を介して送信される演奏データによって演奏されるピアノ１１の演奏音、いわば「ピアノ１１における練習者２０の演奏音」をキャンセルすることもできる。以下に、システム１が練習者２０の演奏音をキャンセルする場合について説明する。
【００３６】
本実施形態の演奏情報伝達方法において、練習者２０が自動演奏ピアノ２２を演奏したときの演奏データを、コントローラ２１がネットワーク３０を介してコントローラ１２に送信する。コントローラ１２はこの演奏データをピアノ１１及び音源部１３に同時に送信する。音源部１３は練習者２０の演奏データに基づくピアノ音色の楽音波形を生成し、これを参照信号として信号処理部１５へと送信する。一方、ピアノ１１は受信した演奏データに基づいて練習者２０の演奏による自動演奏を行う。この時の演奏音はマイクロフォン１４によって集音され、混合音信号として信号処理部１５へと送信される。信号処理部１５はマイクロフォン１４からの混合音信号および音源部１３からの参照信号を受信することによって、演奏音をキャンセルすることが可能となる。すなわち、練習者２０の演奏によるピアノ１１の演奏中に、指導者１０が口から音声を発して（発話して）マイクロフォン１４が演奏音と音声の混合音を集音したとしても、信号処理部１５が演奏音のみをキャンセルし指導者１０の音声のみを抽出することが可能である。抽出された音声は送信部１６からネットワーク３０を介して受信部２４へ送信され、放音部２３から放音される。これによって、練習者２０は自分の演奏中になされた指導者１０の音声を、放音部２３から明瞭に聞くことが可能となる。
【００３７】
（第３の実施形態）
第１の実施形態において、システム２においてもマイクロフォン２５（図示せず）およびマイクロフォン２５で収音した音信号を送信する送信部２６（図示せず）を備え、かつシステム１において、マイクロフォン２５で収音した音信号を受信し、音源部１３へ当該音信号を供給する受信部１７（図示せず）を備えてもよい。この場合、システム１は、マイクロフォン１４に収音される指導者１０の演奏音をキャンセルするだけなく、マイクロフォン２５を介して練習者２０の発話内容を指導者１０側に伝えることでマイクロフォン２５に収音される練習者２０の演奏音をキャンセルすることができる。以下に、システム１が練習者２０の演奏音をキャンセルする場合について説明する。
【００３８】
本実施形態の演奏情報伝達方法において、練習者２０が自動演奏ピアノ２２を演奏したときの演奏データをネットワーク３０を介して音源部１３に送信する。また、システム２は、練習者２０の自動演奏ピアノ２２近傍にある不図示のマイクロフォンで収音した混合音を指導者１０の信号処理部１５に送信する。ここで、混合音とは、練習者２０の音声と練習者２０が自動演奏ピアノ２２を演奏することで発生した演奏音とが混合された音である。
音源部１３は、自動演奏ピアノ２２で生成された演奏データで指定される音高に応じたピアノ音色の楽音波形を参照信号として信号処理部１５に送信する。
信号処理部１５は参照信号に基づいて混合音信号に含まれる自動演奏ピアノ２２の演奏音をキャンセルし、練習者２０の音声を抽出する。信号処理部１５は、抽出した音声（分離信号）をシステム１に不図示のスピーカなどの放音装置で放音する。
【００３９】
なお、上述した実施形態を次のように変形してもよい。
上述した実施形態において、指導者と練習者とが１対１ではなく、１対多、多対１あるいは、多対多等、様々な人数によって構成されたシステムにも適用し得る。また、例えば遠隔コンサートなどを目的としたものに適用してもよい。
【００４０】
また、上述した実施形態において、音源部１３は、ピアノ１１または自動演奏ピアノ２２から送信された演奏データから生成したピアノ音色の楽音波形を参照信号として信号処理部１５に送信した。これに代えて、ピアノ１１近傍に参照信号生成用のマイクロフォンを設けて、マイクロフォンが収音したピアノ１１の演奏音を参照信号として信号処理部１５に送信してもよい。
なお、上述のマイクロフォンに代えて、ピエゾセンサ、加速度センサ、速度センサ等の物理量センサをピアノ１１に設け、これらセンサから得られた信号を参照信号として信号処理部１５に送信してもよい。この場合、物理量センサは、ピアノ１１の打弦により振動が生じる箇所である、駒や響板に取り付けることが好ましい。
【００４１】
また、上述した実施形態において、信号処理部１５は、システム１に備わっているものとしたが本発明は、これに限定されない。例えば、信号処理部１５は、ネットワーク３０上のサーバやシステム２に実装されてもよい。この場合、システム１は、混合音信号と参照信号をネットワーク３０、またはネットワーク３０上のサーバを介してシステム２に送信する。この場合、参照信号は、システム２のコントローラ２１や自動演奏ピアノ２２の演奏データから生成されてもよい。
また、上述した実施形態において、第１の楽器としてピアノ１１を、第２の楽器として自動演奏ピアノ２２を用いる場合について説明したが、第１の楽器と第２の楽器が同種の種類の楽器、かつ第２の楽器が自動演奏機能を有する楽器であれば他の楽器でもよい。この場合、音源部１３は当該楽器の音色の楽音波形を参照信号として信号処理部１５に送信すればよい。
【符号の説明】
【００４２】
１、２…システム  １０…指導者  １１…ピアノ  ２２…自動演奏ピアノ  １２、２１…コントローラ  １３…音源部  １４…マイクロフォン  １５…信号処理部  １６…送信部  ２０…練習者  ２３…放音部  ２４…受信部
【図１】
2015132695.tif 000003
【図２】
2015132695.tif 000004